【手続補正書】
【提出日】令和3年6月17日(2021.6.17)
【手続補正１】
【補正対象書類名】特許請求の範囲
【補正対象項目名】全文
【補正方法】変更
【補正の内容】
【特許請求の範囲】
【請求項１】
第１及び第２の記憶領域を含む少なくとも１つの記憶装置を有する画像形成装置であって、
前記第１の記憶領域へのアクセス異常の検知に基づいて、前記第１の記憶領域を初期化し、前記第２の記憶領域は初期化せず、
前記第２の記憶領域へのアクセス異常の検知に基づいて、前記第２の記憶領域のデータを検査及び修復し、前記第１の記憶領域のデータを検査及び修復しない制御手段を有することを特徴とする画像形成装置。
【請求項２】
前記制御手段は、
前記第１の記憶領域へのアクセス異常の検知に基づいて、前記第１の記憶領域を自動的に初期化し、
前記第２の記憶領域へのアクセス異常の検知に基づいて、前記第２の記憶領域のデータを自動的に検査及び修復する
ことを特徴とする請求項１に記載の画像形成装置。
【請求項３】
前記制御手段は、前記アクセス異常が検知された記憶領域のパーティション番号に基づいて、前記記憶領域の用途を決定する
ことを特徴とする請求項１又は２に記載の画像形成装置。
【請求項４】
前記制御手段は、前記アクセス異常が検知された記憶領域のパーティションラベルに基づいて、前記記憶領域の用途を決定する
ことを特徴とする請求項１又は２に記載の画像形成装置。
【請求項５】
前記制御手段は、
前記第１の記憶領域へのアクセス異常の検知に応えて、前記画像形成装置の再起動の際に前記第１の記憶領域を初期化することを予約し、前記第２の記憶領域へのアクセス異常の検知に応えて、前記画像形成装置の再起動の際に前記第２の記憶領域を検査及び修復することを予約する
ことを特徴とする請求項１〜４の何れか１項に記載の画像形成装置。
【請求項６】
第１及び第２の記憶領域を含む少なくとも１つの記憶装置を備える画像形成装置であって、
前記第１の記憶領域においてアクセス異常が検知された場合、実行される復旧処理として前記第１の記憶領域に対して初期化を設定し、前記第２の記憶領域に対して初期化を設定せず、
前記第２の記憶領域に対してアクセス異常が検知された場合、実行される復旧処理として前記第２の記憶領域に対して検査及び修復を設定し、前記第１の記憶領域に対して検査及び修復を設定せず、
前記第１の記憶領域へのアクセス異常の検知に基づいて初期化を実行し、前記第２の記憶領域へのアクセス異常の検知に基づいて検査及び修復を実行する制御手段を有することを特徴とする画像形成装置。
【請求項７】
前記制御手段は、
前記第１の記憶領域においてアクセス異常が検知された場合に実行される復旧処理として、前記第１の記憶領域に対して初期化が自動的に設定され、
前記第２の記憶領域にアクセス異常が検知された場合に実行する復旧処理として、前記第２の記憶領域に自動的に検査及び修復を設定する
ことを特徴とする請求項６に記載の画像形成装置。 
【請求項８】
前記アクセス異常は、前記記憶装置からのデータの読み出し失敗を示すリードエラーである
ことを特徴とする請求項１〜７の何れか１項に記載の画像形成装置。
【請求項９】
前記アクセス異常は、前記記憶装置へのデータの書き込み失敗を示すライトエラーである
ことを特徴とする請求項１〜７の何れか１項に記載の画像形成装置。
【請求項１０】
前記画像形成装置は、スキャナをさらに備え、
前記記憶装置は、前記スキャナから受信した画像データを保持するためのパーティションである第３の記憶領域をさらに含み、
前記制御手段は、第３の記憶領域へのアクセス異常の検知に基づいて、第３の記憶領域を検査及び修復する
ことを特徴とする請求項１〜９の何れか１項に記載の画像形成装置。
【請求項１１】
前記制御手段は、前記第１の記憶領域でなく他の記憶領域における前記アクセス異常の検知に基づいて、前記アクセス異常が検知された記憶領域を検査及び修復する
ことを特徴とする請求項１〜１０の何れか１項に記載の画像形成装置。
【請求項１２】
前記第１の記憶領域は、少なくとも圧縮された画像データを展開するためのテンポラリ領域として使用される
ことを特徴とする請求項１〜１１の何れか１項に記載の画像形成装置。
【請求項１３】
前記制御手段は、ｍｋｆｓコマンドにより初期化を行い、ｆｓｃｋコマンドにより検査及び修復を行う
ことを特徴とする請求項１〜１２の何れか１項に記載の画像形成装置。
【請求項１４】
前記第２の記憶領域は、アプリケーションを保持するパーティションである
ことを特徴とする請求項１２に記載の画像形成装置。
【請求項１５】
第１及び第２の記憶領域を含む少なくとも１つの記憶装置を備える画像形成装置の制御方法であって、
記憶装置へのアクセス異常を検知する検知ステップと、
アクセス異常の検知に応えて、アクセス異常が検知された記憶領域に対して、その記憶領域に対応する復旧処理を実行する復旧処理の実行ステップとを有し、
前記復旧処理の実行ステップは、
前記第１の記憶領域へのアクセス異常の検知に基づいて、前記第１の記憶領域を初期化し、前記第２の記憶領域を初期化せず、
前記第２の記憶領域へのアクセス異常の検知に基づいて、前記第２の記憶領域のデータを検査及び修復し、前記第１の記憶領域のデータを検査及び修復しないよう制御する制御ステップを有する
ことを特徴とする画像形成装置の制御方法。
【請求項１６】
前記アクセス異常が検知された記憶領域のパーティション番号に基づいて、該記憶領域の用途を決定するステップをさらに含む、
ことを特徴とする請求項１５に記載の画像形成装置の制御方法。
【請求項１７】
前記アクセス異常が検知された記憶領域のパーティションラベルに基づいて、前記記憶領域の用途を決定するステップをさらに含む、
ことを特徴とする請求項１５に記載の画像形成装置の制御方法。
【請求項１８】
第１および第２の記憶領域を含む少なくとも１つの記憶装置を備える画像形成装置の制御方法であって、
前記第１の記憶領域へのアクセス異常の検知に基づいて、前記第１の記憶領域を初期化し、前記第２の記憶領域は初期化せず、
前記第２の記憶領域へのアクセス異常の検知に基づいて、前記第２の記憶領域のデータを検査及び修復し、前記第１の記憶領域のデータを検査及び修復しないよう制御する制御ステップを有する
ことを特徴とする画像形成装置の制御方法。
【請求項１９】
第１および第２の記憶領域を含む少なくとも１つの記憶装置を備える画像形成装置の制御方法であって、
前記第１の記憶領域においてアクセス異常が検知された場合、前記第１の記憶領域に対して実行される復旧処理として初期化を設定し、前記第２の記憶領域に対しては初期化を設定せず、
前記第２の記憶領域においてアクセス異常が検知された場合、前記第２の記憶領域に対して実行される復旧処理として検査及び修復を設定し、前記第１の記憶領域に対して検査及び修復を設定しない設定ステップと、
前記第１の記憶領域へのアクセス異常の検知に基づいて初期化を実行し、前記第２の記憶領域へのアクセス異常の検知に基づいて検査及び修復を実行する実行ステップを
ことを特徴とする画像形成装置の制御方法。
【手続補正２】
【補正対象書類名】明細書
【補正対象項目名】００１１
【補正方法】変更
【補正の内容】
【００１１】
本発明は、第１及び第２の記憶領域を含む少なくとも１つの記憶装置を有する 画像形成装置であって、前記制御手段は、前記第１の記憶領域へのアクセス異常の検知に基づいて、前記第１の記憶領域を初期化し、前記第２の記憶領域は初期化せず、前記第２の記憶領域へのアクセス異常の検知に基づいて、前記第２の記憶領域のデータを検査及び修復し、前記第１の記憶領域のデータを検査及び修復しない制御手段を有することを特徴とする。
【手続補正３】
【補正対象書類名】明細書
【補正対象項目名】発明の名称
【補正方法】変更
【補正の内容】
【発明の名称】画像形成装置、及び画像形成装置の制御方法